(57)【特許請求の範囲】
【請求項１】
射精促進器に用いられる筒状部材であって、
長手方向の少なくとも一端面に挿入口を配設し、当該挿入口から内部に延びる空間となる挿入部が形成された筒状の部材からなり、
前記挿入部の内壁には、陰茎を刺激する部分が形成され、使用時には滑りを生じさせるために液体と接触され、
前記筒状部材は、スチレン系熱可塑性エラストマー及びポリアクリル酸系塩を含む構成材料を加熱、溶融状態として、前記溶融状態の構成材料を冷却固化して成形され、
前記スチレン系熱可塑性エラストマー１００質量部に対して、前記ポリアクリル酸系塩を５〜２０質量部含有してなることを特徴とする射精促進器用筒状部材。
【請求項２】
前記スチレン系熱可塑性エラストマー１００質量部に対して、前記ポリアクリル酸系塩を８〜２０質量部含有することを特徴とする請求項１に記載の射精促進器用筒状部材。
【請求項３】
前記ポリアクリル酸系塩がポリアクリル酸ナトリウムであることを特徴とする請求項１または請求項２に記載の射精促進器用筒状部材。
【請求項４】
長手方向の少なくとも一端に開口部を有し、手で握ることが可能な筒状の形状とされた外装ケースと、当該外装ケースの内部に形成された空間に、挿入口を有した端面を前記外装ケースの開口部に配置した状態で前記外装ケースに収容される筒状の内装部材と、を備えた射精促進器であって、
前記内装部材が、請求項１ないし請求項３のいずれかに記載の筒状部材であることを特徴とする射精促進器。
【請求項５】
請求項１ないし請求項３のいずれかに記載の筒状部材からなることを特徴とする射精促進器。
【発明の詳細な説明】
【技術分野】
【０００１】
本発明は、射精促進器用筒状部材及び射精促進器に関する。さらに詳しくは、男性の陰茎（ペニス）に刺激を与えることにより、射精を促進・誘発し、精子（精液）採取器としても使用可能な射精促進器用筒状部材及び射精促進器に関する。
【背景技術】
【０００２】
射精促進器ないし精子（精液）採取器（以下、単に「射精促進器等」とする場合もある。）は、長手方向の少なくとも一端面に挿入口を配設し、当該挿入口から内部に延びる空間となる挿入部が形成された筒状の部材からなり、かかる挿入口から陰茎（ペニス）を挿入部に挿入して使用されるが、陰茎を挿入する筒状部材について、陰茎との密着性や刺激等を高めるために、陰茎のサイズや形状等に応じて内部構造等にいろいろな工夫がなされている。また、このような射精促進器は、精子の採取器（精子採取器、精子採取装置等）として、医学的な研究や治療等の見地に加えて、個人的な性的欲求を解消させることによる性犯罪の予防等の社会的な要求という見地からも、極めて重要とされている。
【０００３】
ここで、従来の射精促進器等としては、例えば、挿入口と、陰茎を挿入するための空間となる挿入部を内部に有する弾性変形自在なエラストマー等の弾性ポリマーや合成樹脂等からなる筒状部材におけるかかる挿入部の内壁に複数の小突起や襞形状が形成された構造とされるものや、緩衝材を内挿した円筒状の外装ケースに形成された空間に、前記の筒状部材を内装部材として収容した構造のものが知られている（例えば、特許文献１及び特許文献２を参照。）。なお、筒状部材（内装部材）の挿入部の内壁に形成された小突起や襞状形状としては、例えば、直線または波線状のリブや、ポリープ状の小突起や襞形状を呈することにより膣構造を模すような形状とされており、陰茎を筒状部材の挿入口から挿入部に挿入した際には、陰茎に対して膣に挿入されたのと同様な刺激が与えられるようにしている。
【先行技術文献】
【特許文献】
【０００４】
【特許文献１】実用新案登録第３１３５７７０号公報
【特許文献２】特開２０１２−２３９５６０号公報
【発明の開示】
【発明が解決しようとする課題】
【０００５】
従来の射精促進器等は、挿入部に滑り（ぬめり）を持たせるべく、潤滑剤となるローションを別途注ぎ込んだ状態で、挿入部に陰茎を挿入するようにして使用されるが、使用ごとに注入される多量のローションが無駄となっていた。加えて、かかるローションは人工的な材料であるため、陰茎へのなじみ易さという点から、特にその量が過剰になると使用者に違和感を与えることもあり、使用感を損ねることになっていた。
【０００６】
本発明の目的は、前記の課題に鑑みてなされたものであり、潤滑剤となるローションの使用を極力少なくすることができるとともに、使用感も良好な射精促進器用筒状部材及び射精促進器を提供することにある。
【課題を解決するための手段】
【０００７】
前記の課題を解決するために、本発明に係る射精促進器用筒状部材は、射精促進器に用いられる筒状部材であって、長手方向の少なくとも一端面に挿入口を配設し、当該挿入口から内部に延びる空間となる挿入部が形成された筒状の部材からなり、前記挿入部の内壁には、陰茎を刺激する部分が形成され、使用時には滑りを生じさせるために液体と接触され、前記筒状部材は、スチレン系熱可塑性エラストマー及びポリアクリル酸系塩を含む構成材料を加熱、溶融状態として、前記溶融状態の構成材料を冷却固化して成形され、前記スチレン系熱可塑性エラストマー１００質量部に対して、前記ポリアクリル酸系塩を５〜２０質量部含有してなることを特徴とする。
【０００９】
本発明に係る射精促進器用筒状部材は、前記した本発明において、前記スチレン系熱可塑性エラストマー１００質量部に対して、前記ポリアクリル酸系塩を８〜２０質量部含有することを特徴とする。
【００１０】
本発明に係る射精促進器用筒状部材は、前記した本発明において、前記ポリアクリル酸系塩がポリアクリル酸ナトリウムであることを特徴とする。
【００１２】
本発明に係る射精促進器は、長手方向の少なくとも一端に開口部を有し、手で握ることが可能な筒状の形状とされた外装ケースと、当該外装ケースの内部に形成された空間に、挿入口を有した端面を前記外装ケースの開口部に配置した状態で前記外装ケースに収容される筒状の内装部材と、を備えた射精促進器であって、前記内装部材が、前記した本発明に係る筒状部材であることを特徴とする。
【００１３】
本発明に係る射精促進器は、前記した本発明の筒状部材からなることを特徴とする。
【発明の効果】
【００１４】
本発明に係る射精促進器用筒状部材及び射精促進器は、筒状部材の構成材料としてスチレン系熱可塑性エラストマーに対してポリアクリル酸系塩を含有させているので、筒状部材の挿入部に水等の液体を接触させることにより、挿入部の表面に滑りを発生させることができ、かかる適度の滑りは挿入部にローションを注ぎ込んだと共通するものとなるため、ローションの使用を極力少なくすることができる。また、水等の液体を接触させて得られる滑りは、筒状部材の挿入部からしみ出るものであるため、陰茎とよくなじみ、使用時に挿入部と陰茎との滑りを有しながらの一体感が向上し、これまでのローションの過剰使用等により違和感もなく、適度な挿入感が得られ、使用感も良好な射精促進器用筒状部材及び射精促進器となる。
【図面の簡単な説明】
【００１５】
【図１】本発明の第１実施形態に係る射精促進器の一態様を示した正面図である。
【図２】本発明の第１実施形態に係る射精促進器の一態様を示した正面図（蓋体及び取付リングを取り外した状態）である。
【図３】図１のＡ−Ａ断面図（緩衝材が存在しない状態）である。
【図４】図１のＡ−Ａ断面図（緩衝材が存在する状態）である。
【図５】筒状部材からなる内装部材の一態様を示した斜視図である。
【図６】図５のＢ−Ｂ断面図である。
【図７】本発明の第２実施形態に係る射精促進器の一態様を示した正面図である。
【図８】図７の断面図である。
【発明を実施するための形態】
【００１６】
以下、本発明の実施形態の例を図面に基づいて説明する。
【００１７】
（Ａ）第１実施形態：
本発明の第１実施形態に係る射精促進器１について説明する。
【００１８】
（Ｉ）射精促進器１の構成：
図１は、本発明の第１実施形態に係る射精促進器１の一態様を示した正面図、図２は、本発明の第１実施形態に係る射精促進器１の一態様を示した正面図（蓋体３及び取付リング９を取り外した状態）、図３は、図１のＡ−Ａ断面図（緩衝材８が存在しない状態）、図４は図１のＡ−Ａ断面図（緩衝材８が存在する状態）、をそれぞれ示す。本実施形態に係る射精促進器１は、精子（精液）を採取する装置（精子採取装置）としても使用することができ、長手方向の少なくとも一端（本実施形態では両端）に開口部２１を有し、手で握ることが可能な筒状の形状とされた外装ケース２と、かかる外装ケース２の内部に形成された空間４（図３参照。）に、外装ケース２の開口部２１に挿入口５１を有した端面を配置した状態で収容され、かかる挿入口５１から内部に延びる空間となる挿入部５２が形成された筒状部材５と、を基本構成として備え、かかる筒状部材５を外装ケース２に収容される内装部材５として用いて、射精促進器１とした態様を示している。以下、筒状部材５を内装部材５として説明する。
【００１９】
なお、本実施形態にあっては、外装ケース２の両端が開口され、かかる外装ケースの２つの開口部２１、着脱可能な蓋体３（蓋体３ａ，３ｂ）が取り付けられ、内装部材５と外装ケース２との間に緩衝材８（図４参照。）が介在される態様を示しているが、本発明はかかる態様、構成には限定されない。
【００２０】
（１）外装ケース２の構成：
本実施形態に係る射精促進器１において、外装ケース２は、筒状部材５からなる内装部材５を収容する空間４（図３等参照。）。を内部に有し、長手方向（例えば、図１等の矢印方向。以下同じ。）の少なくとも一方（本実施形態では両端）に開口部２１が形成された筒体であり、外装ケース２の開口部２１は、外装ケース２に着脱可能に形成された蓋体３により開閉される。
【００２１】
外装ケース２は、例えば、合成樹脂により構成されることができ、開口部２１から陰茎を挿入した状態で、図示しない使用者の手で握ることが可能な筒状の形状とされていれば特に制限はなく、本実施形態にあっては、図１等に示すように、長手方向の略中央に、平面視でなだらかな山状となる小径部２２と、かかる小径部２２を挟んで、小径部２２より大きな径からなる２つの大径部２３，２４が、小径部２２の中央に対して対称に形成されている。使用者は、大径部２３，２４と小径部２２の境界２５に手の親指と人差し指をかけて握ることができるため、使用者にとって握りやすい形状となる。
【００２２】
外装ケースの開口部２１を開閉可能とする蓋体３は、本実施形態にあっては、椀状に形成された部材を示しており、外装ケース２の円形状の開口部２１に対応する円形状の天面部３１と、天面部３１の周縁に外方へ延びるように形成された周縁部３２とからなる。また、蓋体３を外装ケース２の開口部２１に取り付けた場合にあっては、蓋体３の周縁部３２は、外装ケース２の大径部２３，２４に沿って段差を感じさせず繋がるようになり、使用者にとって握りやすい形状を維持することになる。蓋体３は、従来公知の合成樹脂や金属材料等で構成することができ、軽量性、加工性、コスト面等の観点から合成樹脂で構成されることが好ましい。
【００２３】
本実施形態の構成において、蓋体３により外装ケース２の開口部２１を開閉するには、例えば、蓋体３の周縁部３２の内側と外装ケース２の開口部２１の周縁に螺合可能な図示しないねじ山をそれぞれ形成するようにして、蓋体３と外装ケース２の開口部２１を螺合させて開閉させるようにしてもよく、また、蓋体３の周縁部３２の内側と外装ケース２の開口部２１の周縁のそれぞれに、いわゆるオス・メスで嵌合可能な部分を形成して両者を着脱一体化する等、その他、蓋体３により外装ケース２の開口部２１を開閉できるのであれば、その手段は特に限定されない。
【００２４】
また、図３及び図４に示すように、外装ケース２の内部に形成された空間４には、開口部２１に挿入口５１を有した端面を配置した状態で外装ケース２に収容され、挿入口５１から内部に延びる空間となる挿入部５２が形成された筒状の内装部材５が収容されている（なお、筒状部材５からなる内装部材５については、後記する（２）で詳説する。）。
【００２５】
図４に示すように、射精促進器１にあって、内装部材５を外装ケース２に取り付けるに際し、内装部材５の周囲に緩衝材８が巻き付けられて、外装ケース２と内装部材５との間に緩衝材８が介在されることになる。緩衝材８は、例えば、スポンジ状の発泡樹脂シート等を用いることができ、内装部材５の本体部６に緩衝材８を巻き付け、かかる緩衝材８を巻き付けた内装部材５を外装ケース２の内部の空間４（図３参照。）に配することになる。
【００２６】
図３及び図４に示すように、本実施形態では、その内側に図示しないねじ山が形成された取付リング９が、外装ケース２の開口部２１の周縁に形成されたねじ山２１１（図２参照。）と螺合されることにより、内装部材５のフランジ７を固定しつつ、外装ケース２の内部に緩衝材８を保持することができる。なお、内装部材５のフランジ７を外装ケース２の開口部２１に固定するには、例えば、内装部材５のフランジ７の周縁を、前記した取付リング９のねじ山と外装ケース２の開口部２１のねじ山２１１の間に挟む等、取付リング９の内側と外装ケース２の開口部２１の周縁との間に挟み込む等により簡便に実施することができる。
【００２７】
取付リング９は、蓋体３と同様、従来公知の合成樹脂や金属材料等で構成することができ、軽量性、加工性、コスト面等の観点から合成樹脂で構成されることが好ましい。また、取付リング９は、蓋体３と共通する合成樹脂で構成されることが好ましい。
【００２８】
図３及び図４に示すように、緩衝材８は、外装ケース２に内装部材５との間の空間４を埋めるように介在されるものであるが、緩衝材８の介在の程度をある程度密な状態とすることにより、内装部材５に適度な圧力をかけることができる。これにより、内装部材５の挿入口５１から挿入された陰茎に対して、緩衝材８による適度な締め付け感が伝わることになり、使用感が高まることになる。
【００２９】
（２）内装部材５（筒状部材５）の構成：
次に、外装ケース２の空間４に収容される内装部材５（筒状部材５）について、前記した図３及び図４に加えて、図５及び図６を用いて説明する。図５は、筒状部材５からなる内装部材５の一態様を示した斜視図、図６は、図５のＢ−Ｂ断面図、をそれぞれ示す。
【００３０】
射精促進器１に用いられ、いわゆるコア部材となる内装部材５は、外装ケース２の空間４に収容され、長手方向の少なくとも一端面（本実施形態では両端面）に挿入口５１を配設し、かかる挿入口から内部に延びる空間となる挿入部５２が形成された筒状の部材である。本実施形態にあっては、筒状部材５からなる内装部材５の両端面には、それぞれ挿入口５１を有し、かかる２つの挿入口５１を繋いで貫通する挿入部５２が内部に形成されている。内装部材５は、本実施形態にあっては、図５等に示すように、陰茎が挿入される空間である挿入部５２によりその内部が貫通された本体部６と、かかる本体部６の長手方向両端に配設された、円盤形状のフランジ７により構成されており、本体部６とフランジ７が一体となって形成されているものである。
【００３１】
内装部材５は、本実施形態にあっては、フランジ７の略中心に形成されている、２つの挿入口５１と挿入部５２が繋がっていることで、挿入部５２が内装部材５の内部を貫通する。また、挿入部５２の内壁には、陰茎を刺激する部分（刺激部Ｘ）が形成されている。陰茎を刺激する部分（刺激部Ｘ）の形状の例としては、突起や襞形状、疣（いぼ）形状、蛇腹形状等が挙げられ、これらの刺激部Ｘを所定の配置で形成することができる。図３、図４及び図６には、刺激部Ｘの一例である突起と蛇腹形状を所定の配置で形成した態様を示している。
【００３２】
また、挿入部５２の内壁に形成される、陰茎を刺激する部分（刺激部Ｘ）については、本実施形態にあっては、図３等に示すように、２つの挿入口５１付近から見てそれぞれ異なる形状としている。また、挿入口５１付近と、挿入部５２の略中央付近とは、異なる形状や配置としたものを示している。挿入口５１付近と、挿入部５２の略中央付近とは、異なる形状等とすれば、陰茎の一部（例えば、亀頭等）に、他の部分と異なる種類の刺激を与えることができる。
【００３３】
（３）内装部材５（筒状部材５）の構成材料：
以下、内装部材（筒状部材５）の構成材料や製造方法等を説明する。なお、本欄「（３）内装部材５（筒状部材５）の構成材料」の内容は、第２実施形態で説明する、そのまま射精促進器１となる筒状部材５の構成材料や製造方法等と共通する。内装部材５（筒状部材５）を構成する材料としては、適当な弾力、伸縮性、柔軟性を備えた材料を使用することが好ましく、弾性ポリマーが用いられる。かかる弾性ポリマーとしては、例えば、熱可塑性エラストマー、エラストマー、ゲル状のゴム、シリコーン系樹脂、ポリスチレン系樹脂、ウレタン系樹脂、軟質ポリ塩化ビニル（ＰＶＣ）等を用いることができる。これらの弾性ポリマーは、その１種を単独で使用してもよく、２種以上を組み合わせて使用してもよい。
【００３４】
弾性ポリマーとしては、成形性、コスト、成形体として用いた場合の使用感が良好である等という点で、熱可塑性エラストマーを使用することが好ましい。熱可塑性エラストマーとしては、例えば、スチレン−イソプレン−スチレンブロック共重合体（ＳＩＳ）、スチレン−ブタジエン−スチレンブロック共重合体（ＳＢＳ）、（水素添加）スチレン−エチレン−プロピレンブロック共重合体（ＳＥＰ）、（水素添加）スチレン−エチレン−ブチレン−スチレンブロック共重合体（ＳＥＢＳ）、（水素添加）スチレン−エチレン−プロピレンスチレンブロック共重合体（ＳＥＰＳ）、（水素添加）スチレンエチレンエチレンプロピレンスチレンブロック共重合体（ＳＥＥＰＳ）、スチレン−ブタジエンブロック共重合体（ＳＢＲ）、（水素添加）スチレン−ブタジエンブロック共重合体（ＳＥＢ）スチレン−イソプレンブロック共重合体（ＳＩＲ）、水素添加スチレン−イソプレンブロック共重合体（ＳＥＰ）、スチレン−イソプレン−スチレンブロック共重合体（ＳＩＳ）等のスチレン系熱可塑性エラストマーを使用することができる。
【００３５】
また、例えば、天然ゴム、ポリブタジエン、ポリイソプレン、ポリイソブチレン、ネオプレン、ポリスルフィドゴム、チオコールゴム、アクリルゴム、ウレタンゴム、シリコーンゴム、エピクロロヒドリンゴム、エチレンプロピレンゴム（ＥＰＲ）、エチレンプロピレンジエンゴム（ＥＰＤＭ）、ブタジエン−アクリロニトリル−スチレン−コアシェルゴム（ＡＢＳ）、メチルメタクリレート−ブタジエン−スチレン−コアシェルゴム（ＭＢＳ）、メチルメタクリレート−ブチルアクリレート−スチレン−コアシェルゴム（ＭＡＳ）、オクチルアクリレート−ブタジエン−スチレン−コアシェルゴム（ＭＡＢＳ）、アルキルアクリレート−ブタジエン−アクリロニトリル−スチレンコアシェルゴム（ＡＡＢＳ）、ブタジエン−スチレン−コアシェルゴム（ＳＢＲ）、メチルメタクリレート−ブチルアクリレート−シロキサン等のシロキサン含有コアシェルゴム等のコアシェルタイプの粒子状弾性体、あるいはこれらを変性したゴム等を挙げることができる。これらの熱可塑性エラストマーは、その１種を単独で使用してもよく、２種以上を組み合わせて使用してもよい。
【００３６】
また、本発明にあっては、内装部材５（筒状部材５）の構成材料として、前記した弾性ポリマーに対して、吸水性樹脂を含有してなる。内装部材５（筒状部材５）の構成材料として弾性ポリマーと吸水性樹脂を組み合わせて用いることにより、内装部材５として成形された際にベース材料となる弾性ポリマーに分散し、内装部材５に吸水性を付与することができ、内装部材５に水等の液体（以下、単に「水等」とする場合もある。）を接触させることによりゲル状化し、挿入部５２の表面に滑りを発生させることができる。また、かかる適度の滑りは挿入部５２にローションを注ぎ込んだと共通するものとなるため、ローションの使用を極力少なくすることができ、好ましくは、ローションを不要とすることができる。
【００３７】
吸水性樹脂としては、特に制限はないが、例えば、ポリアクリル酸系塩（ポリアクリル酸系塩の架橋体を含む。）、ポリアクリルアミド、澱粉−アクリロニトリルグラフト共重合物の加水分解物、カルボキシメチルセルロース架橋体、アクリル酸（塩）−ビニルアルコール共重合物、ポリオキシエチレン架橋体、ポリアルキレンオキシド単位を含む熱可塑性樹脂等が挙げられる。
【００３８】
一般に、アクリル酸の重合体はカルボキシル基を多数持つため非常に親水性が高く、吸水性樹脂としては、ポリアクリル酸系塩を含有することが好ましい。また、必要により網目構造に架橋させ、ナトリウム塩の形とすると高い吸水性を持つゲルとなり、優れた特性を示すことから、ポリアクリル酸ナトリウムを使用することが特に好ましい。ポリアクリル酸ナトリウムは架橋体となっているもの（ポリアクリル酸ナトリウム架橋体）を使用するようにしてもよい。ポリアクリル酸ナトリウムは高吸水性樹脂（高吸水性高分子）としても知られており、少量の添加で多量の水を吸収することができるため、本発明の目的に適している。
【００３９】
吸水性樹脂は、液状、粉末状（パウダー状、顆粒状を含む。）等のものを使用することができ、粉末状のものを用いることが好ましい。粉末状とすることにより、表面積も大きくなり、吸水能がさらに向上し、また、ベース材料となる弾性ポリマーに良好に分散することになる。平均粒径は、特に制限はないが、例えば１〜１０００μｍであることが好ましく、また、形状は球形状、板形状、造流体、不定形状等の公知の形状のものを使用することができる。
【００４０】
内装部材５（筒状部材５）の構成材料となる、弾性ポリマーに対する吸水性樹脂の含有量は、使用される弾性ポリマーの種類、吸水性樹脂の種類、必要とされる特性（滑りの程度）等により適宜決定することができ、吸収性樹脂の含有量を多くすると、少ない水の量で滑りを生じさせると考えることができるが、概ね、弾性ポリマー１００質量部に対して１〜１００質量部含有することが好ましい。含有量が１質量部より小さいと、水等を接触させても滑りが発生しない場合があり、１００質量部より多いと、若干のコスト高となる場合がある。なお、吸水性樹脂の含有量を多くすることにより、吸水性樹脂のコストが若干上がる一方で、ゲル化できる回数が増え、使用回数をより多くすることができるというメリットがある。弾性ポリマーに対する吸水性樹脂の含有量は、弾性ポリマー１００質量部に対して５〜１００質量部とすることがより好ましく、低コスト的となり、また、良好な使用感を楽しむためには、弾性ポリマー１００質量部に対して５〜２０質量部とすることがさらに好ましく、８〜２０質量部とすることが特に好ましい。
【００４１】
また、前記した構成材料（弾性ポリマー及び吸水性樹脂）には、さらに、発泡剤を添加することが好ましい。発泡剤を添加することにより、内装部材５の軟らかさ、弾力性が適度のものとなり、人肌に近付けることができる。発泡剤としては、従来公知のものを使用することができ、例えば、無機系の熱分解型化学発泡剤、有機系の熱分解型化学発泡剤等の化学発泡剤、物理発泡剤等を使用することができる。
【００４２】
内装部材５（筒状部材５）における発泡剤の含有量は、特に制限はなく、求められる発泡の度合い、軟らかさ等に応じて適宜決定することができるが、例えば、弾性ポリマー１００質量部に対して０．１〜５０質量部とすることが好ましく、０．１〜１０質量部とすることが特に好ましい。
【００４３】
なお、内装部材５（筒状部材５）の構成材料としては、前記した材料に加えて、本発明の目的及び効果を妨げない範囲で、顔料、無機安定剤等の安定剤、滑剤、耐衝撃改良剤、加工助剤、結晶核剤、補強剤、着色剤、難燃剤、架橋剤、架橋性モノマー、耐候性改良剤、紫外線吸収剤、酸化防止剤、耐加水分解性向上剤、防かび剤、抗菌剤、光安定剤、耐電防止剤、シリコンオイル等のオイル成分、ブロッキング防止剤、離型剤、香料、充填剤、カップリング剤、架橋剤等の各種添加剤を必要に応じて添加することができる。
【００４４】
内装部材５（筒状部材５）の製造方法としては、例えば、前記した構成材料を加熱し、溶融状態として、かかる溶融状態の構成材料（溶融樹脂）を、内装部材５の形状に対応して形成された図示しない金型内に射出して注入する。次いで、注入された溶融樹脂を冷却固化させることにより実施すればよく、このようにすれば、内装部材５（筒状部材５）を簡便に製造することができる。
【００４５】
（II）射精促進器１の使用方法：
以下、本実施形態に係る射精促進器１の使用方法の一例を説明する。
まず、内装部材５（筒状部材５）が収容された射精促進器１の外装ケース２の蓋体３ａを外して、外装ケース２の開口部２１を開いた状態とする。この時、開口部２１を開いた状態としたことにより現れる内装部材５の挿入口５１から、内装部材５の挿入部５２に適量の水を注ぎ込む。内装部材５の挿入部５２に水を注ぎ込むことにより、挿入部５２の表面はゲル状化し、挿入部５２の表面に適度な滑りを生じさせる。なお、他方の蓋体３ｂは、閉じた状態としておき、使用しない方の挿入口５１については、図示しない栓等で塞いでおくようにしてもよい。
【００４６】
次に、図示しない陰茎を、開口されている開口部２１から確認できるフランジ７に形成される挿入口５１から挿入部５２へと挿入するようにする。陰茎は、ある程度勃起した状態で挿入した方が使用上好ましい。挿入口５１から、水等との接触により表面が滑っている挿入部５２へ陰茎を挿入した後、使用者は射精促進器１を握り、好ましくは陰茎の長手方向に沿って適度に上下に動かすことにより、陰茎は、内装部材５の挿入部５２の内部に形成された突起や襞等の刺激部Ｘにより刺激されることになる。また、使用者が射精促進器１を握りしめることによって、介在された緩衝材８を介して、内装部材５から陰茎が圧迫され、締め付け感が伝わることになる。
【００４７】
このような操作により使用者が射精した後は、他方の蓋体３ｂを外して、必要により他方の蓋体３ｂ側の開口部２１に現れる挿入口５１から所望の量の精子（精液）を採取するとともに、２つの蓋体３（３ａ，３ｂ）を外した状態で、内装部材５の内部空間である挿入部５２等に残った精子（精液）等を洗浄するようにする。また、蓋体３（３ａ，３ｂ）も洗浄するようにする。なお、前記した精子（精液）の採取は、他方の蓋体３ｂを取り付けたまま（閉じたまま）で、開放されている一方の挿入口５１にスポイト等を差し込んで吸引することにより実施するようにしてもよい。
【００４８】
（III）本発明の効果：
以上説明した本実施形態に係る筒状部材５（内装部材５）及び射精促進器１は、筒状部材５の構成材料として弾性ポリマーに対して吸水性樹脂を含有させているので、筒状部材５の挿入部５２に水等を接触させることにより、挿入部５２の表面に滑りを発生させることができ、かかる適度の滑りは挿入部５２にローションを注ぎ込んだと共通するものとなるため、ローションの使用を極力少なくすることができる。
【００４９】
加えて、本実施形態に係る筒状部材５（内装部材５）ないし射精促進器１における、水等を接触させて得られる滑りは、筒状部材５（内装部材５）の挿入部５２からしみ出るものであるため、使用時に挿入部５２と陰茎との滑りを有しながらの一体感が向上し、これまでのローションの過剰使用等により違和感もなく、適度な挿入感が得られ、使用感も良好な筒状部材５及び射精促進器１となる。
【００５０】
なお、本発明の筒状部材５（内装部材５）ないし射精促進器１にあっては、ローション（潤滑剤）の使用を極力抑えることができるため、ローションによるコストの削減を図ることができるとともに、精子（精液）の採取についても、以下に説明するような利点がある。
【００５１】
すなわち、従来のようにローションを使用する場合にあっては、本発明を、精子（精液）を採取するための精子（精液）採取器（精子採取装置）としても使用するに際しては、
ローションについて、殺精子薬を含有しない、潤滑を主たる目的として用いられるローションを使用する必要があった。一方、本発明は、前記のように、ローションの使用を極力少なくすることができるので、採取する精子（精液）についても、ローションの影響を最小限とすることができる。
【００５２】
（Ｂ）第２実施形態：
次に、本発明の第２実施形態に係る射精促進器１について説明する。
【００５３】
（Ｉ）射精促進器１の構成：
図７は、本発明の第２実施形態に係る射精促進器１の一態様を示した正面図、図８は、図７の断面図、をそれぞれ示す（図８は、図７について、図面（図７）と平行な方向から切断した断面図である。）。第２実施形態に係る射精促進器１は、精子（精液）を採取する装置（精子採取装置）としても使用することができ、長手方向の少なくとも一端面に挿入口５１を配設し、当該挿入口５１から内部に延びる空間となる挿入部５２が形成された筒状の部材（筒状部材５）を基本構成として備え、かかる筒状部材５をそのまま、射精促進器１として用いている態様を示している。
【００５４】
（１）射精促進器１（筒状部材５）の構成：
射精促進器１となる筒状部材５は、長手方向の一端面に挿入口５１を配設し、当該挿入口５１から内部に延びる空間となる挿入部５２が形成されている。挿入部５２から図示しない陰茎を挿入した状態で、図示しない使用者の手で握ることが可能な筒状の形状とされていれば特に制限はなく、本実施形態にあっては、図７等に示すように、長手方向の略中央に、平面視でなだらかな山状となる２つの小径部２２と、かかる小径部２２を挟んで、小径部２２より大きな径からなる大径部２３，２４が、２つに小径部２２に挟まれた境界２５ａに対して対称に形成されている。使用者は、かかる境界２５ａや、大径部２３，２４と小径部２２の境界２５ｂ，２５ｃ等に手の指をかけて握ることができるため、使用者にとって握りやすい形状となる。
【００５５】
射精促進器１は、本実施形態にあっては、挿入部５２の内壁には、陰茎を刺激する部分（刺激部Ｘ）が形成されている。陰茎を刺激する部分（刺激部Ｘ）の形状の例としては、突起や襞形状、疣（いぼ）形状、蛇腹形状等が挙げられ、これらの刺激部Ｘを所定の配置で形成することができる。図８には、刺激部Ｘの一例である突起や蛇腹形状等を所定の配置で形成した態様を示している。
【００５６】
また、挿入部５２の内壁に形成される、陰茎を刺激する部分（刺激部Ｘ）については、本実施形態にあっては、図８等に示すように、挿入口５１付近と挿入口５２の先端付近ではそれぞれ異なる形状とし、また、挿入口５１付近や先端付近と、挿入部５２の略中央付近とは、異なる形状や配置としたものを示している。挿入口５１付近と、挿入部５２の略中央付近や先端付近を異なる形状等とすれば、陰茎の一部（例えば、亀頭等）に、他の部分と異なる種類の刺激を与えることができる。
【００５７】
（２）射精促進器１（筒状部材５）の構成材料：
射精促進器１となる筒状部材５の構成材料や製造方法等は、前記した「（Ａ）第１実施形態：」における内装部材５（筒状部材５）の構成材料や製造方法等と共通する材料等となり、「（Ａ）第１実施形態：」における前記「（３）内装部材５（筒状部材５）の構成材料：」の説明と共通した内容となるので、説明を省略する。
【００５８】
（II）射精促進器１（筒状部材５）の使用方法：
以下、本実施形態に係る射精促進器１の使用方法の一例を説明する。
まず、射精促進器１（筒状部材５）の挿入口５１から、射精促進器１の挿入部５２に適量の水を注ぎ込む。射精促進器１の挿入部５２に水を注ぎ込むことにより、挿入部５２の表面はゲル状化し、挿入部５２の表面に適度な滑りを生じさせる。
【００５９】
次に、図示しない陰茎を、挿入口５１から挿入部５２へと挿入するようにする。陰茎は、ある程度勃起した状態で挿入した方が使用上好ましい。挿入口５１から、水等との接触により表面が滑っている挿入部５２へ陰茎を挿入した後、使用者は射精促進器１を握り、好ましくは陰茎の長手方向に沿って適度に上下に動かすことにより、陰茎は、射精促進器１の挿入部５２の内部に形成された突起や襞等の刺激部Ｘにより刺激されることになる。また、使用者が射精促進器１を握りしめることによって、介在された緩衝材８を介して、内装部材５から陰茎が圧迫され、締め付け感が伝わることになる。
【００６０】
このような操作により使用者が射精した後は、挿入口５１から所望の量の精子（精液）を採取するとともに、筒状部材５の内部空間である挿入部５２等に残った精子（精液）等を洗浄するようにする。なお、前記した精子（精液）の採取は、挿入口５１にスポイト等を差し込んで吸引することにより実施するようにしてもよい。
【００６１】
（III）本発明の効果：
以上説明した本発明に係る射精促進器１は、射精促進器１（筒状部材５）の構成材料として弾性ポリマーに対して吸水性樹脂を含有させているので、前記した第１実施形態に係る射精促進器１と略共通する効果を有する。また、外装ケース２等を使用せず、筒状部材５をそのまま射精促進器１として使用するので、外装ケース２等に必要とされるコストを削減できるとともに、手で握る感触が陰茎にそのまま伝わる等、使用感も良好である。
【００６２】
（IV）実施形態の変形：
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００６３】
例えば、前記した第１実施形態では、外装ケース２の形状について、長手方向の略中央に、平面視でなだらかな山状となる小径部２２と、かかる小径部２２を挟んで、小径部２２より大きな径からなる２つの大径部２３，２４が、小径部２２の中央に対して対称に形成されている態様を、図１等を用いて説明したが、外装ケース２の形状はこれには限定されず、長手方向の少なくとも一端に開口部２１を有し、使用者の手で握ることが可能な筒状の形状とされ、その内部に筒状部材５からなる内装部材５を収容可能であれば、その形状等は任意に決定することができる。
【００６４】
同様に、前記した第２実施形態では、そのまま射精促進器１となる筒状部材５として、長手方向の略中央に、平面視でなだらかな山状となる２つの小径部２２と、かかる小径部２２を挟んで、小径部２２より大きな径からなる大径部２３，２４が、２つに小径部２２に挟まれた境界２５ａに対して対称に形成されている態様を、図７等を用いて説明したが、射精促進器１となる筒状部材５の形状はこれには限定されず、長手方向の少なくとも一端面に挿入口５１を配設し、当該挿入口５１から内部に延びる空間となる挿入部５２が形成された筒状の部材であれば、その形状等は任意に決定することができる。
【００６５】
また、筒状部材５や内装部材５の形状についても、前記した実施形態では、筒状部材５等の挿入部５２の内壁に形成される、陰茎を刺激する部分（刺激部Ｘ）の形状の一例について、突起や蛇腹形状等を所定の配置で形成した態様を図３、図８等に示して説明したが、刺激部Ｘの形状については前記したもの以外でもよく、陰茎に刺激を与える可能性を有する従来公知の形状を採用することができる。
【００６６】
前記した第１実施形態では、射精促進器１の構成として、外装ケース２の両端に開口部２１を有し、収容される筒状部材５（内装部材５）の両端面に外装ケース２の開口部２１に対応した挿入口５１が形成され、２つの挿入口５１が貫通する構成を示して説明した。一方、これはあくまでも便宜上用いた一例であり、筒状部材５（内装部材５）は、長手方向の少なくとも一端面に挿入口５１が配設され、かかる挿入口５１から内部に延びる空間となる挿入部５２が形成された筒状の部材であれば、その構成は特に限定されない。また。射精促進器１も、長手方向の少なくとも一端に開口部２１を有し、手で握ることが可能な筒状の形状とされた外装ケース２の内部に形成された空間４に、筒状部材５（内装部材５）が、挿入口５１を有した端面を外装ケース２の開口部２１に配置した状態で収容されるものであれば、その構成は任意に決定することができる。
【００６７】
例えば、外装ケース２について、蓋体３ａ，３ｂのうちの１つを開閉不可能としたり、外装ケース２と一体化する等により蓋体３のうちの１つをなくし、開口部２１及び開口部２１を開閉する蓋体３を１つとしてもよく、筒状部材５からなる内装部材５についても、２つの挿入口５１のうちの１つを塞ぐ等によりなくし、挿入口５１を１つとして、１つの開口部２１及び１つの挿入口５１（挿入部５２が貫通しない）とした構成にした射精促進器１としてもよい。加えて、内装部材５のフランジ７の形成も必須ではなく、フランジ７を形成しない内装部材５を外装ケース２に収容して使用するようにしてもよい。また、開口部２１が１つや２つの場合にあって、外装ケース２の開口部２１を蓋体３でなく、フィルム等で封止して、使用時にそのフィルムを破く等により取り除き、蓋体３を存在しないようにしてもよい。
【００６８】
同様に、前記した第２実施形態では、射精促進器１の構成として、長手方向の一端面に挿入口５１を配設し、当該挿入口５１から内部に延びる空間となる挿入部５２が形成された筒状部材５がそのまま射精促進器１となる態様を例に挙げて説明したが、一方、これはあくまでも便宜上用いた一例であり、射精促進器１となる筒状部材５は、長手方向の少なくとも一端面に挿入口５１が配設され、かかる挿入口５１から内部に延びる空間となる挿入部５２が形成された筒状の部材であれば、その構成は特に限定されず、例えば、挿入部５２が貫通され、２つの挿入口５１が挿入部５２により繋がれるような構成としてもよい。
その他、本発明の実施の際の具体的な構造及び形状等は、本発明の目的を達成できる範
囲で他の構造等としてもよい。
【実施例】
【００６９】
以下、本発明を実施例及び比較例に基づいてさらに詳細に説明するが、本発明はこれらに限定されるものではない。
【００７０】
［参考例１、実施例２ないし実施例６、参考例７ないし参考例９、比較例１］
弾性ポリマーであるスチレン系熱可塑性エラストマー（ＳＥＢＳ）に対して、吸水性樹脂であるポリアクリル酸ナトリウム（粉末状）の含有量を表１に示すようにした構成（参考例１、実施例２ないし実施例６、参考例７ないし参考例９、比較例１）の材料を用いて、図７及び図８に示した形状の射精促進器（筒状部材）のサンプルを射出成形法により成形した。なお、構成材料には適量の発泡剤（各構成について、量を適宜調整した。）、顔料、及びオイルを添加し、成形温度は１６０〜１８０℃の間で各構成について適宜調整して成形した。
【００７１】
次に、得られたサンプルの挿入部を含む部分に適量の水を接触させ、「サンプルの滑り」について以下の評価基準を用いて比較・評価した。「Ｘ」、「Ａ」、「Ｂ１」、「Ｂ２」を合格として（「Ｘ」が一番優れ、以下、「Ａ」、「Ｂ１」、「Ｂ２」の順。）、「Ｃ」を不合格とした。結果を表１に示す。
【００７２】
（評価基準）
評  価      内  容
Ｘ  ：  滑り気が最適で、別途ローションが不要
Ａ  ：  滑り気が適度で、別途ローションは不要
Ｂ１  ：  滑り気がやや多い
Ｂ２  ：  滑り気がやや少ない（水が少ないと、若干のローションが必要な場合あり）
Ｃ  ：  滑り気がない
【００７３】
（材料の構成及び結果）
【表１】
0005761836.tif 000002
【００７４】
表１に示したように、スチレン系熱可塑性エラストマーに対してポリアクリル酸ナトリウムを含有させて射精促進器（筒状部材）の構成材料とした参考例１、実施例２ないし実施例６、参考例７ないし参考例９については、いずれも滑り気を生じ、特に、実施例３ないし実施例６が優れていた。
【００７５】
なお、使用感も、前記「サンプルの滑り」の結果に準じ、参考例１、実施例２ないし実施例６、参考例７ないし参考例９のものは良好であり、実施例３ないし実施例６がもっとも良好で、以下、実施例２、参考例７ないし参考例９、参考例１の順で良好であった。一方、滑り気がなかった比較例１については使用感が悪かった。
【産業上の利用可能性】
【００７６】
本発明は、医療用途はもちろんのこと、男性の性的衝動等を抑制することにより、健全な社会構築等の手助けとなることができるため、産業上の利用可能性は極めて高い。
【符号の説明】
【００７７】
１  ……  射精促進器
２  ……  外装ケース
２１  ……  開口部
２１１  ……  ねじ山
２２  ……  小径部
２３，２４  ……  大径部
２５  ……  境界
２５ａ，２５ｂ，２５ｃ  ……  境界
３  ……  蓋体
３ａ  ……  蓋体（一方の蓋体）
３ｂ  ……  蓋体（他方の蓋体）
３１  ……  天面部
３２  ……  周縁部
４  ……  空間
５  ……  筒状部材（内装部材）
５１  ……  挿入口
５２  ……  挿入部
６  ……  本体部
７  ……  フランジ
８  ……  緩衝材
９  ……  取付リング
Ｘ  ……  刺激部
【要約】
【課題】潤滑剤となるローションの使用を極力少なくすることができるとともに、使用感も良好な射精促進器用筒状部材及び射精促進器を提供すること。
【解決手段】本発明は、射精促進器１に用いられる筒状部材５の構成材料として弾性ポリマーに対して吸水性樹脂を含有させているので、筒状部材５の挿入部５２に水等を接触させることにより、挿入部５２の表面に滑りを発生させることができ、かかる適度の滑りは挿入部５２にローションを注ぎ込んだと共通するものとなるため、ローションの使用を極力少なくすることができる。また、水等を接触させて得られる滑りは、筒状部材５の挿入部５２からしみ出るものであるため、使用時に挿入部５２と陰茎との滑りを有しながらの一体感が向上し、これまでのローションの過剰使用等により違和感もなく、適度な挿入感が得られ、使用感も良好な射精促進器用筒状部材５及び射精促進器１となる。
【選択図】図８【図１】
0005761836.tif 000003
【図２】
0005761836.tif 000004
【図３】
0005761836.tif 000005
【図４】
0005761836.tif 000006
【図５】
0005761836.tif 000007
【図６】
0005761836.tif 000008
【図７】
0005761836.tif 000009
【図８】
0005761836.tif 000010